(57)【要約】【課題】予充電中であることをオペレータに確実に把握させることができる作業車両を提供すること。  【解決手段】バッテリ本体ユニット３２と、キャパシタ２４と、系統電圧ライン６２を遮断するメインコンタクタ９５と、メインコンタクタ９５を迂回して設けられた予充電回路８６と、予充電が行われている状態を告知する状態表示手段４０の緑色ＬＥＤ４０Ｂと、バッテリユニット本体３２側の電圧とキャパシタ２４側の電圧とを比較する電圧比較手段８１と、電圧比較手段８１での比較結果に応じて制御信号を生成して予充電回路８６に出力する予充電信号生成手段８２と、予充電が実施されている場合の状態信号を生成して緑色ＬＥＤ４０Ｂに出力する状態信号生成手段８３と、電圧比較手段８１での比較結果により予充電が不要と判定された場合に、メインコンタクタ９５を制御して系統電圧ライン６２を導通させる導通制御手段８５とを備える。【選択図】図４
2008303019.tif 000002
【特許請求の範囲】
【請求項１】
バッテリと、
バッテリに対し系統電圧ラインを介して電気的に接続されるキャパシタと、
前記系統電圧ラインに設けられたライン遮断用手段と、
遮断状態にある前記ライン遮断用手段を迂回して前記バッテリと前記キャパシタとを電気的に接続する予充電回路と、
前記バッテリ側から前記キャパシタ側への予充電が行われている状態を告知する状態告知手段と、
前記バッテリ側の電圧と前記キャパシタ側の電圧とを比較する電圧比較手段と、
前記電圧比較手段での比較結果に応じて、前記予充電を開始または停止させる制御信号を生成して前記予充電回路に出力する予充電信号生成手段と、
予充電が実施されている場合の状態信号を生成して前記状態告知手段に出力する状態信号生成手段と、
前記電圧比較手段での比較結果により予充電が不要と判定された場合に、前記ライン遮断用手段を制御して前記系統電圧ラインを導通させる導通制御手段とを備えている
ことを特徴とする作業車両。
【請求項２】
請求項１に記載の作業車両において、
前記バッテリでの充放電を制御する電源コントローラを備え、
前記電圧比較手段、前記予充電信号生成手段、前記状態信号生成手段、および前記導通制御手段は、前記電源コントローラの制御部に設けられている
ことを特徴とする作業車両。
【請求項３】
請求項２に記載の作業車両において、
前記電源コントローラの制御部を起動させるキースイッチを備え、
前記制御部には、前記キースイッチがオン位置にあるかオフ位置にあるかを判定するキー位置判定手段が設けられ、
前記状態信号生成手段は、前記電圧比較手段での比較結果により予充電が不要と判定された場合で、かつ前記キー位置判定手段により前記キースイッチがオン位置にあると判定された場合に、前記キャパシタの充電が正常状態であることの状態信号を生成して前記状態告知手段に出力し、予充電が不要と判定された場合で、かつ前記キースイッチがオフ位置にあると判定された場合に、前記状態告知手段での告知動作を停止させるように構成されている
ことを特徴とする作業車両。
【発明の詳細な説明】
【技術分野】
【０００１】
本発明は、バッテリを駆動源とする作業車両に関する。
【背景技術】
【０００２】
従来、バッテリを駆動源としたバッテリフォークリフトが知られている（例えば、特許文献１）。このようなフォークリフトは、制動時に回生エネルギを生成する回生制動装置（一般には、走行用の電動モータが発電機として機能した場合である）を備えており、回生エネルギをバッテリに戻して蓄電させている。ただし、バッテリとしては、回生エネルギを必ずしも効率よく蓄電できる訳ではなく、発熱により損失する割合が大きい。このため、効率よく蓄電できるキャパシタをバッテリとは別に搭載しておき、回生エネルギを専らキャパシタに蓄電することが提案されている。
【０００３】
また、このようなキャパシタには、回生制動装置からの回生エネルギの他、バッテリからも予充電という形でキャパシタに自動的に蓄電される。この予充電は、オペレータが作業を開始するにあたって、キースイッチをオン位置にしたときに自動的に開始される。
【０００４】
【特許文献１】特開２００６−２６４９４０号公報
【発明の開示】
【発明が解決しようとする課題】
【０００５】
しかし、予充電の間は、走行用の電動モータや作業機駆動用の電動モータ（油圧ポンプ）等を制御するメインコントローラには電力が供給されず、フォークリフトを動作させることはできない。このため、オペレータは何故動作しないのかを即座には把握できず、戸惑ってしまう。しかも、予充電は、キャパシタの電圧がバッテリの電圧よりも低く、その差が所定値を越えた場合にのみ行われるので、普段からそのような状況にないと予充電が開始されたことを認識するのは容易ではない。
【０００６】
本発明の目的は、予充電中であることをオペレータに確実に把握させることができる作業車両を提供することにある。
【課題を解決するための手段】
【０００７】
本発明の請求項１に係る作業車両は、バッテリと、バッテリに対し系統電圧ラインを介して電気的に接続されるキャパシタと、前記系統電圧ラインに設けられたライン遮断用手段と、遮断状態にある前記ライン遮断用手段を迂回して前記バッテリと前記キャパシタとを電気的に接続する予充電回路と、前記バッテリ側から前記キャパシタ側への予充電が行われている状態を告知する状態告知手段と、前記バッテリ側の電圧と前記キャパシタ側の電圧とを比較する電圧比較手段と、前記電圧比較手段での比較結果に応じて、前記予充電を開始または停止させる制御信号を生成して前記予充電回路に出力する予充電信号生成手段と、予充電が実施されている場合の状態信号を生成して前記状態告知手段に出力する状態信号生成手段と、前記電圧比較手段での比較結果により予充電が不要と判定された場合に、前記ライン遮断用手段を制御して前記系統電圧ラインを導通させる導通制御手段とを備えていることを特徴とする。
【０００８】
請求項２に係る作業車両は、請求項１に記載の作業車両において、前記バッテリでの充放電を制御する電源コントローラを備え、前記電圧比較手段、前記予充電信号生成手段、前記状態信号生成手段、および前記導通制御手段は、前記電源コントローラの制御部に設けられていることを特徴とする。
【０００９】
請求項３に係る作業車両は、請求項２に記載の作業車両において、前記電源コントローラの制御部を起動させるキースイッチを備え、前記制御部には、前記キースイッチがオン位置にあるかオフ位置にあるかを判定するキー位置判定手段が設けられ、前記状態信号生成手段は、前記電圧比較手段での比較結果により予充電が不要と判定された場合で、かつ前記キー位置判定手段により前記キースイッチがオン位置にあると判定された場合に、前記キャパシタの充電が正常状態であることの状態信号を生成して前記状態告知手段に出力し、予充電が不要と判定された場合で、かつ前記キースイッチがオフ位置にあると判定された場合に、前記状態告知手段での告知動作を停止させるように構成されていることを特徴とする。
【発明の効果】
【００１０】
以上において、請求項１の発明によれば、キャパシタの電圧がバッテリでの電圧に比較して著しく小さい場合、バッテリからキャパシタへの予充電が自動的に実施される。そして、この際、予充電が実施されていることは、状態告知手段によってオペレータに告知されるため、オペレータは予充電の実施が理由で作業車両が動作しないことを容易に把握でき、戸惑う心配がない。
【００１１】
請求項２の発明によれば、電圧比較手段、予充電信号生成手段、状態信号生成手段、および導通制御手段を電源コントローラに設け、電源コントローラの一機能として付与したので、バッテリでの充放電や、バッテリからキャパシタへの予充電、および状態告知を電源コントローラのＣＰＵ等で統括的に制御でき、システム構成を簡略化できる。
【００１２】
請求項３の発明によれば、予充電に引き続いて作業を行う場合では、キースイッチはオン位置にあるから、状態告知手段により正常状態を告知させておくことができ、正常状態を認識したうえで安心して作業が行える。また、予充電が完了しても、即座には作業しない場合では、キースイッチはオフ位置にあり、状態告知手段による告知を停止するので、無駄な告知動作による電力消費を防止でき、省エネルギ化を促進できる。
【発明を実施するための最良の形態】
【００１３】
〔フォークリフトの構成〕
以下、本発明の一実施形態を図面に基づいて説明する。
図１は、本実施形態に係る作業車両としてのフォークリフト１０全体を示す側面図である。フォークリフト１０は、車体１１の前後にそれぞれ左右の前輪１２および後輪１３を備えた４輪型であり、バッテリからの電気エネルギで駆動されるバッテリフォークリフトである。ただし、本発明のフォークリフトとしては、後輪１３が１つだけの３輪型であってもよい。
【００１４】
車体１１の前側には、荷役用の作業機１４が設けられている。作業機１４は、鉛直に立設されたマスト１５と、マスト１５に沿って昇降するフォーク爪１６と、フォーク爪１６を昇降駆動するリフトシリンダ１７と、車体１１に対して作業機１４全体を所定角度範囲で前後に傾斜させるチルトシリンダ１８とを備えている。
【００１５】
車体１１には、オペレータが着座するための運転席１９が設けられている。運転席１９の上方は、車体１１上に取り付けられたヘッドガード２０で覆われている。運転席１９は下方のフードパネル２１に一体に設けられている。フードパネル２１は上下に開閉自在に設けられ、フードパネル２１の下方には、バッテリユニット３０が収容されている。また、運転席１９の側方には、図３に示すように、リフト操作およびチルト操作用の作業機操作レバー２７、緊急停止用の非常ボタン２８が設けられ、さらには、状態表示手段４０が設けられている。なお、バッテリユニット３０は、車体１１のやはり開閉自在な側面パネルを開閉することで、車体１１に対して水平方向にスライドさせることが可能であり、容易に着脱できるようになっている。
【００１６】
車体１１の後側には、カウンターウェイト２２が設けられている。カウンターウェイト２２内の空間には、メインコントローラ２３やキャパシタ２４等が収容されている。メインコントローラ２３は、詳細は後述するが、バッテリユニット３０からの電気エネルギを前輪１２駆動用の電動モータ２５（図４）や作業機１４用の電動モータ２６（図４）に供給している。また、特にキャパシタ２４は重量が比較的大きいため、カウンターウェイト２２内に収容することで、カウンターウェイト２２の一部としての役割を有する。
【００１７】
ここで、バッテリユニット３０は、図２に示すように、有底箱状のバッテリケース３１を含んで構成されるバッテリユニット本体３２と、バッテリユニット本体３２上に取り付けられる電源コントローラ３３とを備えている。バッテリユニット本体３２は、合計２４個のバッテリ３４が上下３段にわたって収容される構造である。バッテリ本体３２の各段では、４つのバッテリ３４が直列接続されて１モジュールが形成され、２モジュール分が配置されている。なお、バッテリケース３１の形状は有底の他、強度やレイアウトの面で問題がなければ、無底形状を採用してもよく、また、吊り下げタイプやかご形タイプであってもよい。また、バッテリ３４の数は任意であり、フォークリフト１０全体のシステムに要求される出力電圧や、バッテリ３４単体の出力電圧等を勘案して決められてよい。
【００１８】
１つのバッテリ３４の出力電圧は１２Ｖであり、従って、各モジュールでの電圧は４８Ｖとなる。図２において、バッテリ３４は、２点鎖線で示してある。各段に配置された一対のモジュールからの電力は、電源コントローラ３３に設けられた第１〜第３電源回路７４〜７６（図４）に入力するようになっている。
【００１９】
また、状態表示手段４０は、メインコントローラ２３が起動する前のフォークリフト１０での充電状態や、バッテリユニット本体３２とキャパシタ２４との電気的な接続状態、あるいは外部電源での充電時に要求されるフードパネル２１の開閉に関する状態を表示する装置であり、赤色ＬＥＤ４０Ａおよび状態告知手段である緑色ＬＥＤ４０Ｂを備えている。なお、状態告知手段としては、本実施形態のようなＬＥＤのような発光素子に限らず、アラームや音声等を利用した手段であってもよい。
【００２０】
状態表示手段４０の機能について、具体的に説明する。バッテリユニット本体３２に対して外部電源から充電しようとする場合には、バッテリユニット本体３２回りの換気を促すために、フードパネル２１を開けておく必要があり、開いていないと判断された場合には赤色ＬＥＤ４０Ａが点灯する。また、バッテリユニット本体３２とキャパシタ２４はコネクタ６３（図４）介して接続されているが、このコネクタ６３が外れていると、バッテリユニット本体３２からキャパシタ２４側への予充電ができないため、これを検出した場合にも、赤色ＬＥＤ４０Ａが点灯する。
【００２１】
また、作業開始時にオペレータがシステムを起動させるためのキースイッチをオン位置に操作すると、電源コントローラ３３が起動し、キャパシタ２４側の電圧とバッテリユニット本体３２側の電圧とを比較して充電状態を判断し、予充電が必要な場合は予充電を自動的に開始させ、予充電中であることを緑色ＬＥＤ４０Ｂの点滅等で表示する。予充電が完了した段階でキースイッチがオン位置にあれば、緑色ＬＥＤ４０Ｂは点灯に切り換わり、キースイッチがオフ位置にあれば、緑色ＬＥＤ４０Ｂは消灯する。はじめからキャパシタ２４の充電量が十分であり、予充電が不要な場合には、キースイッチをオン位置に操作した時点で緑色ＬＥＤ４０Ｂが点灯する。
【００２２】
〔フォークリフトのシステム構成〕
次いで以下には、フォークリフト１０のシステム構成について、特に電源コントローラ３３を中心として説明する。図４は、システム全体を示すブロック図である。
【００２３】
フォークリフト１０の電源コントローラ３３には、バッテリユニット本体３２からの電源ラインが接続された直流４８Ｖの系統電圧ライン６２が設けられている。この系統電圧ライン６２は、コネクタ６３を介してメインコントローラ２３、キャパシタ２４、比例弁コントローラ６４、メータパネル６５に接続され、バッテリユニット３０からの電力を供給している。
【００２４】
メインコントローラ２３は、図示しない走行用アクセルペダルからの操作信号等に基づいて前輪１２（図１）駆動用の電動モータ２５を制御し、また、油圧ポンプ６６駆動用の電動モータ２６を制御している。油圧ポンプ６６は、比例弁６７を介してリフトシリンダ１７およびチルトシリンダ１８に油圧を供給している。また、メインコントローラ２３は、電動モータ２６が発電機として機能した場合には、この電動モータ２６で回生された電気エネルギをキャパシタ２４に送り、蓄電させる。
【００２５】
キャパシタ２４は、瞬間的に発生する大電流を効率よく回収、蓄電、放電できる特性を有し、回生エネルギをロスなく活用できるものである。これによりキャパシタ２４は、バッテリユニット３０と共に電源として機能し、電動モータ２５，２６の駆動をアシストする。つまり、本システムは、バッテリユニット３０側とキャパシタ２４側との２系統の電源を有するバッテリハイブリッドである。
【００２６】
比例弁コントローラ６４は、作業機操作レバー２７からの操作信号に基づいて比例弁６７のソレノイドに通電し、比例弁６７のスプール位置を切り換える。このことにより、油圧ポンプ６６からの油圧で各シリンダ１７，１８を伸縮させ、荷役作業を行うことができる。
【００２７】
電源コントローラ３３の系統電圧ライン６２にはまた、バッテリ充電用の充電ライン６８が接続されている。充電ライン６８には、交流入力部６９からの外部電力がチャージコンタクタ７１を介して入力される。入力された交流電力はコンバータ７２により直流に変換され、変圧手段７３にて充電用の電圧に降圧されて系統電圧ライン６２に通電される。
【００２８】
系統電圧ライン６２には、第１〜第３電源回路７４〜７６からの電力ラインがそれぞれ並列に接続されている。系統電圧ライン６２を通して入力した電力の充電、およびバッテリユニット本体３２から系統電圧ライン６２への放電は、電源コントローラ３３内の第１〜第３電源回路７４〜７６、およびＣＰＵからなる制御部７７によって制御される。
【００２９】
制御部７７には、充放電を制御する各種の手段の他、本実施形態で特有の電圧比較手段８１、予充電信号生成手段８２、状態信号生成手段８３、キー操作判定手段８４、および導通制御手段８５が設けられている。これらの各手段８１〜８５は実際には、制御部７７内で実行されるソフトウェアであり、状態表示手段４０に状況に応じた表示をさせ、また、予充電の開始や停止を制御している。
【００３０】
予充電について改めて説明する。キースイッチをオン位置に操作してシステムに電源を投入すると先ず、制御部７７は、キャパシタ２４側の電圧およびバッテリユニット本体３２側の電圧を検出して比較し、キャパシタ２４側の電圧がバッテリユニット本体３２側の電圧よりも低く、その差が規定値よりも大きいと、開放されているメインコンタクタ９５での遮断状態をそのまま維持させる。キャパシタ２４側の電圧が低い状態でメインコンタクタ９５が通電状態になると、バッテリユニット本体３２からキャパシタ２４に一気に電流が流れ、電気回路上の接点で損傷が生じる可能性があるからである。
【００３１】
従って、メインコンタクタ９５を開放状態に維持しながらも、キャパシタ２４に充電を行ってバッテリユニット本体３２側との電圧差（電位差）を小さくする必要がある。この際の充電が予充電である。このため、本実施形態では、開放状態のメインコンタクタ９５を迂回する予充電回路８６が設けられており、当該予充電回路６８を通して微少電流を流し、よってバッテリユニット本体３２からキャパシタ２４へ充電して両者の電圧差を少なくすようにしている。なお、予充電が行われず、キャパシタ２４側の電圧が低いままだと、メインコントローラ２３やメータパネル６５が起動しない事態となり、フォークリフト１０は動作しない。そして、予充電の実施中であることを、オペレータが容易に把握するために設けられているのが状態表示手段４０である。
【００３２】
制御部７７の各手段８１〜８５を具体的に説明する。
電圧比較手段８１は、バッテリユニット本体３２側の電圧とキャパシタ２４の電圧とを常時比較する機能を有している。
予充電信号生成手段８２は、電圧比較手段８１での比較結果に応じて予充電回路８６に制御信号を出力し、予充電の開始および停止を制御する。
【００３３】
状態信号生成手段８３は、予充電を実施している間は、緑色ＬＥＤ４０Ｂを点滅させる状態信号を当該ＬＥＤ４０Ｂに出力し、予充電が完了したり、はじめからキャパシタ２４が十分に蓄電されたりしている場合には、緑色ＬＥＤ４０Ｂを点灯させる状態信号を出力する。その他、状態信号生成手段８３には、フードパネル２１の開閉状態やコネクタ６３の接続状態に異常がある場合には、赤色ＬＥＤ４０Ａを点灯させる状態信号を出力する機能も有している。
【００３４】
キー位置判定手段８４は、オペレータによるキー操作の結果、キースイッチがオン位置にあるか、あるいはオフ位置にある（キーが抜かれている場合を含む）かを判定する。
導通制御手段８５は、キャパシタ２４の充電量が十分であり、キースイッチがオン位置にある場合には、メインコンタクタ９５に対して系統電圧ライン６２を導通させる信号を出力する。反対に、予充電中を含め、予充電が必要と判断された場合、およびキースイッチがオフ位置にある場合、キー位置判定手段８４は、メインコンタクタ９５を開放させて系統電圧ライン６２を遮断状態にする。
【００３５】
本実施形態において、以上の電源コントローラ３３の制御部７７には、状態表示手段４０の他に、予充電スイッチ９１、前記充電操作パネル９２、およびフードスイッチ９４が接続されている。
【００３６】
予充電スイッチ９１は、バッテリユニット本体３２からキャパシタ２４への予充電を行うためのスイッチである。前述したように、予充電は通常、電圧が比較された段階で、必要と判断された場合に自動的に開始されるが、この予充電スイッチ９１は、予充電をオペレータの判断で実施するときに扱われる。オペレータの判断で実施する場合とは、例えば、電圧差にかかわらずバッテリユニット本体３２からキャパシタ２４へ意図的に蓄電させる場合等である。
【００３７】
また、本実施形態では、予充電スイッチ９１を操作した段階で、制御部７７がコネクタ６３の接続状態を判定する。接続されていないと判定された場合には、状態信号生成手段８３が状態表示手段９３に警報信号を出力し、前述したように、赤色ＬＥＤ４０Ａを点灯させる。これは、予充電が自動的に行われる場合でも同様である。
【００３８】
充電操作パネル９２は、交流入力部６９を通して行われるバッテリユニット本体３２への充電時に操作される。この充電操作パネル９２の充電スイッチを操作することで、充電が開始される。充電量などの充電状態は、充電操作パネル９２に設けられたＬＥＤ等の点灯によって判断可能である。また、コネクタ６３が接続されていないときなど、キャパシタ２４へ充電できない状態にある場合には、前述したように、異常を知らせる赤色ＬＥＤ４０Ａが点灯する。
【００３９】
フードスイッチ９４は、フードパネル２１の開閉状態を検出するスイッチであり、開閉させるためのヒンジの動きに応じて動作するリミットスイッチや近接センサ等で構成される。フードスイッチ９４がオンの状態にある場合は、フードパネル２１が開放していると判断され、バッテリユニット本体３２への外部電源からの充電が許可される。反対に、フードスイッチ９４がオフの状態にある場合は、フードパネル２１が閉められていると判断されるため、換気が良好に行われないことから、制御部７７はチャージコンタクタ７１に遮断信号を出力して充電をできなくするとともに、状態信号生成手段８３が状態表示手段９３に警報信号を出力し、やはり前述したように、赤色ＬＥＤ４０Ａを点灯させる。
【００４０】
〔予充電時のフロー〕
続いて、図５に基づき、作業開始時などにおける予充電の様子を以下に説明する。
オペレータがキースイッチをオン位置にすると、電源コントローラ３３の制御部７７が起動するが、この段階では、メインコンタクタ９５は開放された状態にある。そして先ず、制御部７７の電圧比較手段８１は、バッテリユニット本体３２側（バッテリ３４側と同義）のバッテリ電圧Ｖｂとキャパシタ２４側のキャパシタ電圧Ｖｃとを比較し、その差分が規定値Ｎ以上よりも大きいか否かを判定する（Ｓ１）。
【００４１】
大きい場合には、予充電信号生成手段８２が予充電回路８６に制御信号を出力し、予充電を開始させる（Ｓ２）。また、状態信号生成手段８３は、緑色ＬＥＤ４０Ｂを点滅させる状態信号を出力する（Ｓ３）。従って、作業開始時に予充電が開始され、メインコンタクタ９５が開放状態に維持されることでメインコントローラ２３等が起動しなくとも、オペレータは予充電の開始が理由でフォークリフト１０が作動しないことを即座に把握でき、戸惑う心配がない。
【００４２】
一方、Ｓ２において、電圧Ｖｂ，Ｖｃの差が規定値Ｎよりも小さい場合には、十分に予充電がなされたと判断し、予充電信号生成手段８２は予充電回路８６に予充電を停止させる制御信号を出力し、停止させる（Ｓ４）。なお、はじめからキャパシタ２４の充電量が十分である場合にも当然に、Ｓ４側のフローとなり、予充電は実施されない。ついで、予充電が停止されたか、はじめから実施されない状態で、キー位置判定手段８４はキースイッチの位置を検出する（Ｓ５）。
【００４３】
キースイッチがオフ位置にある場合には、状態信号生成手段８３は、緑色ＬＥＤ４０Ｂへの状態信号の出力を停止し、消灯させて告知動作を止める（Ｓ６）。このような状況としては、例えば、作業開始時に予充電が始まったことを認識したオペレータが、予充電完了までの間、キーを抜き取ってフォークリフト１０から離れる場合が想定される。つまり、本実施形態では、キースイッチがオフ位置であったり、キースイッチからキーが抜かれたりした場合でも、一旦予充電が開始されると、完了するまで停止すことはない。
【００４４】
これに対し、Ｓ５においてキースイッチがオン位置にある場合には、状態信号生成手段８３は、緑色ＬＥＤ４０Ｂを点灯させる状態信号を状態表示手段４０へ出力し、予充電が完了し、キャパシタ２４が正常状態であることをオペレータに認識させる（Ｓ７）。このような状況としては、例えば、作業開始時に予充電が始まったことを認識したオペレータが、そのままキースイッチをオン状態に放置したままにしておいたか、あるいは始めからキャパシタ２４が正常状態にあって予充電が実施されず、そのまま作業を開始する状態にあった場合が想定される。
【００４５】
この後、導通制御手段８５は、メインコンタクタ９５に制御信号を出力し、バッテリユニット本体２１側とキャパシタ２４側とを電気的に接続してメインコントローラ２３や、比例弁コントローラ６４、メータパネル６５に電力を供給して起動させ、フォークリフト１０を動作可能な状態にする。
【００４６】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００４７】
例えば、前記実施形態のフォークリフト１０は、カウンターウェイト２１を備えたカウンタ式であったが、これに限らず、リーチ式のフォークリフトに本発明を適用してもよい。
【産業上の利用可能性】
【００４８】
本発明は、バッテリからの電気エネルギで駆動されるフォークリフトや、小型の油圧ショベル、ホイールローダ等の作業車両に利用できる。
【図面の簡単な説明】
【００４９】
【図１】本発明の一実施形態に係る作業車両全体を示す側面図。
【図２】バッテリユニットの一部を分解して示す分解斜視図。
【図３】作業車両の要部を示す斜視図。
【図４】作業車両のシステム全体を示すブロック図。
【図５】予充電時のフローを説明するためのフローチャート。
【符号の説明】
【００５０】
１０…作業車両であるフォークリフト、２４…キャパシタ、３２…バッテリユニット本体、３３…電源コントローラ、３４…バッテリ、４０Ａ…状態告知手段である緑色ＬＥＤ、６２…系統電圧ライン、７７…制御部、８１…電圧比較手段、８２…予充電信号生成手段、８３…状態信号生成手段、８４…キー位置判定手段、８５…導通制御手段、８６…予充電回路、９５…ライン遮断用手段であるメインコンタクタ。
【図１】
2008303019.tif 000003
【図２】
2008303019.tif 000004
【図３】
2008303019.tif 000005
【図４】
2008303019.tif 000006
【図５】
2008303019.tif 000007